(57)【要約】【課題】複数の通過者が入室・退室を同じ部屋で行っても、その通過者が入室者なのか退室者なのかが明確にでき、正確な入室・退室のＩＤ管理、人数管理ができることでクリーンルーム内のセキュリティーや人数制限、クリーンルーム等での災害時の人員確認等に活用できるクリーンルームの入室・退室管理装置およびその管理方法を提供する。【解決手段】作業者のクリーンルームへの入室・退室情報をＩＤ認識装置からエアーシャワーに設置された端末に送信し、さらに端末に送られた作業者のクリーンルームへの入室・退室情報を管理サーバーに送信し、収集した情報を元に、管理サーバーで作業者の入室・退室を判断し、情報の問合せおよび前記クリーンルームのセキュリティの制御を行うクリーンルームの入室・退室管理装置およびその管理方法。【選択図】      図１
2004150645.tif 000002
【特許請求の範囲】
【請求項１】
作業者の前室からクリーンルームへの入退室の際に、前記作業者が入室・退室共に、同じ場所を通過するように設定されたエアーシャワー室と、
前記エアーシャワー室に設置された前記作業者の通過者のＩＤを認識するＩＤ認識装置と、
前記エアーシャワー室の出入り口の遮光センサーの情報と前記作業者の通過者の前記ＩＤ認識装置で得た情報とで、前記作業者の前記クリーンルームへの入室・退室情報を管理するクリーンルームの入室・退室管理装置であって、
前記作業者の前記クリーンルームへの入室・退室情報を前記ＩＤ認識装置から前記エアーシャワー室に設置された端末に送信し、さらに前記端末に送られた前記作業者の前記クリーンルームへの入室・退室情報を管理サーバーに送信し、収集した前記情報を元に、前記管理サーバーで前記作業者の入室・退室を判断し、前記情報の問合せおよび前記クリーンルームのセキュリティの制御を行うことを特徴とするクリーンルームの入室・退室管理装置。
【請求項２】
前記エアーシャワー室は、入室・退室兼用である請求項１記載のクリーンルームの入室・退室管理装置。
【請求項３】
前記エアーシャワー室は、前記前室側の第１の扉とクリーンルーム側の第２の扉とを具備し、入室時は前記第１の扉が開閉し、一定時間エアーシャワーが動作し、前記第２の扉が開き、退室の場合は、第２の扉が開き、前記エアーシャワー室に入室後、第２の扉が閉じ、第１の扉が開く請求項１または２記載のクリーンルームの入室・退室管理装置。
【請求項４】
前記ＩＤ認識装置は、非接触式のＩＤ認識装置である請求項１乃至３のいずれか１項に記載のクリーンルームの入室・退室管理装置。
【請求項５】
前記ＩＤ認識装置は、入室の場合は、入室側ＩＤ認識装置、退室時には退室側ＩＤ認識装置を使用する請求項１乃至４のいずれか１項に記載のクリーンルームの入室・退室管理装置。
【請求項６】
作業者の前室からクリーンルームへの入退室の際に、前記作業者が入室・退室共に、エアーシャワー室の同じ場所を通過する工程と、
前記エアーシャワー室に設置された前記作業者の通過者のＩＤを認識するＩＤ認識工程と、
前記エアーシャワー室の出入り口の遮光センサーの情報と前記作業者の通過者の前記ＩＤ認識装置で得た情報とで、前記作業者の前記クリーンルームへの入室・退室情報を管理するクリーンルームの入室・退室管理方法であって、
前記作業者の前記クリーンルームへの入室・退室情報を前記ＩＤ認識装置から前記エアーシャワー室に設置された端末に送信する工程と、さらに前記端末に送られた前記作業者の前記クリーンルームへの入室・退室情報を管理サーバーに送信する工程と、収集した前記情報を元に、前記管理サーバーで前記作業者の入室・退室を判断し、前記情報の問合せおよび前記クリーンルームのセキュリティの制御を行う工程とを有することを特徴とするクリーンルームの入室・退室管理方法。
【発明の詳細な説明】
【０００１】
【発明の属する技術分野】
本発明は、クリーンルームの入室・退室管理装置およびその管理方法に関し、特に、複数のクリーンルームに設置されたＩＤ認識装置によるクリーンルームの入室・退室管理装置およびその管理方法に関する。
【０００２】
【従来の技術】
従来のクリーンルームの入室・退室管理装置では、クリーンルームへの入室口・退室口でそれぞれ別々に部屋があるものに対しては、１個ずつのセンサーとＩＤ認識装置で同時に複数人の入室・退室状況を把握している。また、クリーンルームへの入退室の際に入室・退室共に、同じ部屋（エアーシャワー室）を通過する場合、エアーシャワー室の出入り口の遮光センサーの情報と通過者のＩＤ認識装置（非接触）で得た情報で、作業者のクリーンルームへの入室・退室を管理する。
【０００３】
このような従来のクリーンルームの入室・退室管理装置は、例えば、特許文献１に開示されている。
【０００４】
【特許文献１】
特開平８−２００７６１号公報（段落番号００１５乃至段落番号００１６、図１）
【０００５】
【発明が解決しようとする課題】
しかしながら、入室・退室の際に同じ部屋を通過する場所では同時に複数の通過者の入室・退室状況を正確に把握できない問題がある。
【０００６】
したがって、本発明は上記問題を解決したクリーンルームの入室・退室管理装置を提供することにある。
【０００７】
【課題を解決するための手段】
本発明のクリーンルームの入室・退室管理装置は、作業者の前室からクリーンルームへの入退室の際に、前記作業者が入室・退室共に、同じ場所を通過するように設定されたエアーシャワー室と、前記エアーシャワー室に設置された前記作業者の通過者のＩＤを認識するＩＤ認識装置と、前記エアーシャワー室の出入り口の遮光センサーの情報と前記作業者の通過者の前記ＩＤ認識装置で得た情報とで、前記作業者の前記クリーンルームへの入室・退室情報を管理するクリーンルームの入室・退室管理装置であって、前記作業者の前記クリーンルームへの入室・退室情報を前記ＩＤ認識装置から前記エアーシャワー室に設置された端末に送信し、さらに前記端末に送られた前記作業者の前記クリーンルームへの入室・退室情報を管理サーバーに送信し、収集した前記情報を元に、前記管理サーバーで前記作業者の入室・退室を判断し、前記情報の問合せおよび前記クリーンルームのセキュリティの制御を行う構成である。
【０００８】
また、本発明のクリーンルームの入室・退室管理装置の前記エアーシャワー室は、前記前室側の第１の扉とクリーンルーム側の第２の扉とを具備し、入室時は前記第１の扉が開閉し、一定時間エアーシャワーが動作し、前記第２の扉が開き、退室の場合は、第２の扉が開き、前記エアーシャワー室に入室後、第２の扉が閉じ、第１の扉が開く構成である。
【０００９】
またさらに、本発明のクリーンルームの入室・退室管理方法は、作業者の前室からクリーンルームへの入退室の際に、前記作業者が入室・退室共に、エアーシャワー室の同じ場所を通過する工程と、前記エアーシャワー室に設置された前記作業者の通過者のＩＤを認識するＩＤ認識工程と、前記エアーシャワー室の出入り口の遮光センサーの情報と前記作業者の通過者の前記ＩＤ認識装置で得た情報とで、前記作業者の前記クリーンルームへの入室・退室情報を管理するクリーンルームの入室・退室管理方法であって、前記作業者の前記クリーンルームへの入室・退室情報を前記ＩＤ認識装置から前記エアーシャワー室に設置された端末に送信する工程と、さらに前記端末に送られた前記作業者の前記クリーンルームへの入室・退室情報を管理サーバーに送信する工程と、収集した前記情報を元に、前記管理サーバーで前記作業者の入室・退室を判断し、前記情報の問合せおよび前記クリーンルームのセキュリティの制御を行う工程とを有する。
【００１０】
【発明の実施の形態】
次に、本発明のクリーンルームの入室・退室管理装置およびその管理方法について説明する。本発明のクリーンルームの入室・退室管理装置は、クリーンルームへの入退室の際に入室・退室共に、同じ部屋（エアーシャワー室）を通過する場合、エアーシャワー室の出入り口の遮光センサーの情報と通過者のＩＤ認識装置（非接触）で得た情報で、作業者のクリーンルームへの入室・退室を管理する。
【００１１】
以下、図面を参照して、本発明のクリーンルームの入室・退室管理装置およびその管理方法の実施の形態について説明する。まず、本発明の第１の実施の形態のクリーンルームの入室・退室管理装置およびその管理方法について説明する。
【００１２】
図１および図２を参照すると、本発明の第１の実施の形態のクリーンルームの入室・退室管理装置２０１は、入室・退室兼用で扉が自動開閉式のエアーシャワー室５を有する。本発明の第１の実施の形態のクリーンルームの入室・退室管理装置２０１は、入室時は前室側２０３の扉３ｂが開閉し、一定時間エアーシャワーが動作し、クリーンルーム側２０２の自動扉３ａが開く。
【００１３】
退室の場合は、退室側自動扉３ａが開き、エアーシャワー室５に入室後、退室側自動扉３ａが閉じることで入室側自動扉３ｂが開く。
【００１４】
さらに、本発明の第１の実施の形態のクリーンルームの入室・退室管理装置２０１は、遮光式センサー１ａをクリーンルーム側扉３ａに設置して入室センサー１ａとし、前室２０３側扉に設置したものを退室センサー１ｂとする。
【００１５】
作業者１１は、入室の際にセンサー１ｂを遮光してエアーシャワー５内に入り、非接触通信８を含む非接触式のＩＤ認識装置（２ａ，２ｂ）でＩＤを読み取らせる。このとき入室の場合は、入室側ＩＤ認識装置２ａを使用し、退室時には退室側ＩＤ認識装置２ｂを使用する。さらに、エアーシャワー５に設置された端末６を有する。
【００１６】
次に、図１を参照すると、本発明の第１の実施の形態のクリーンルームの入室・退室管理装置２０１は、エアーシャワー５にそれぞれ設置された端末（１１１、１１２、１１３）を有する。各々の端末（１１１、１１２、１１３）は、センサ（１２１，１２２，１２４）およびＩＤ認識装置（１２３，１２５）を有し、各々の機器が得た情報は、端末（１１１、１１２、１１３）に伝えられ、端末（１１１、１１２、１１３）は、ＬＡＮ１０２を経由して管理サーバー１０１へ入退室情報として送信する構成である。
【００１７】
次に、図３を参照して、本発明の第１の実施の形態のクリーンルームの入室・退室管理装置の動作を説明する。
【００１８】
本発明の第１の実施の形態のクリーンルームの入室・退室管理装置は、図３（ｂ）に示すように、入室側ＩＤ認識装置２ａがＩＤを送信する（Ｓ３０１）。次に、同じＩＤが存在しないか判定し（Ｓ３０２）、存在しない場合は、端末にてＩＤを入室者ＩＤテーブルに記憶する（Ｓ３０３）。
【００１９】
また、本発明の第１の実施の形態のクリーンルームの入室・退室管理装置は、図３（ｃ）に示すように、退室側ＩＤ認識装置２ｂがＩＤを送信する（Ｓ３０５）。次に、同じＩＤが存在しないか判定し（Ｓ３０６）、存在しない場合は、端末にてＩＤを退室者ＩＤテーブルに記憶する（Ｓ３０７）。
【００２０】
すなわち、本発明の第１の実施の形態のクリーンルームの入室・退室管理装置の端末（１１１、１１２、１１３）は、センサー（１２１，１２２，１２４）とＩＤ認識情報からＩＤを認識した作業者の入退室を判別する。ＩＤは常に端末（１２１，１２２，１２４）のＩＤテーブルに格納され、２重に存在しないかチェックされる。
【００２１】
次に、図３（ａ）に示すように、ＩＤ認識後のセンサー感知をエアーシャワー室５からの退室とみなし、どちらのセンサーが感知したか（Ｓ３２、Ｓ３３）により入室・退室を決定し、サーバーに送信する（Ｓ３６、Ｓ３７）。
【００２２】
次に、図４を参照して、本発明の第２の実施の形態のクリーンルームの入室・退室管理装置の管理方法について説明する。本発明の第２の実施の形態のクリーンルームの入室・退室管理装置の管理方法は、センサー情報のみで通過した人数とその方向性を把握するものである。
【００２３】
図４に示すフローでの”Ｘ”は、エアーシャワー内の人数を示し、”｜Ｙ｜”は入退室を行った人数を示す。このとき、”Ｙ＞０”の時は入室で、”Ｙ＜０”の時は退室を示す。
【００２４】
まず、本発明の第２の実施の形態のクリーンルームの入室・退室管理装置の管理方法では、Ｘ，Ｙを初期化する（Ｓ４１）。次に、入室センサー１ａがＯＮか判定し（Ｓ４２）、ＯＮである場合は、エアーシャワー内の人数をプラス１する（Ｓ４３）。次に、入退室が完了したかを判定し（Ｓ４７）、入退室が完了していなければ、さらに、エアーシャワー内の人数（Ｘ）と入退室を行った人数（Ｙ）とを比較し、｜Ｘ｜＞｜Ｙ｜の場合は、Ｙ値をＹ＝Ｘと更新する（Ｓ４９）。続いて、一定期間”Ｘ＞０”の（エアーシャワー内に人が長期滞在）場合は、異常とみなしデータをリフレッシュする（Ｓ５０）。
【００２５】
一方、ステップＳ４２で入室センサー１ａがＯＮでない場合は、退室センサー１ｂがＯＮか判定し（Ｓ４３）、ＯＮである場合は、エアーシャワー内の人数をマイナス１して（Ｓ４６）、ステップＳ４７に進む。退室センサー１ｂがＯＮでない場合は、一定期間”Ｘ＞０”の（エアーシャワー内に人が長期滞在）の判定を行い（Ｓ４４）、一定期間”Ｘ＞０”の（エアーシャワー内に人が長期滞在）場合は、異常とみなしデータをリフレッシュする。
【００２６】
そして、ステップＳ４７で入退室が完了している場合、ステップＳ５０またはステップＳ４４で、一定期間”Ｘ＞０”でない（エアーシャワー内に人が長期滞在しない）場合は、退室者がＹ＞０であるか判定し（Ｓ５１）、Ｙ＞０の場合は退室データ送信を行う（Ｓ５４）。Ｙ＞０でない場合は、入室者をチェックし（Ｓ５２）、Ｙ＜０なら入室データ送信を行う（Ｓ５３）。ステップＳ５２でＹ＜０でないなら、ステップＳ４２に戻る。
【００２７】
イレギュラーな入退室を行った場合を考慮して、一定期間”Ｘ＞０”の（エアーシャワー内に人が長期滞在）場合は、異常とみなしデータをリフレッシュする。
【００２８】
このようにエアーシャワー室の入室と退室で掛かる時間の違いやイレギュラーな入退室等を考慮した複雑な制御を行わず、簡単なアルゴリズムで対応できる。正確な入室・退室のＩＤ管理、人数管理ができることでクリーンルーム内のセキュリティーや人数制限、クリーンルーム等での災害時の人員確認等に活用できる。
【００２９】
この構成は、エアーシャワ室ーの入口・出口に各々センサーがあり、センシングした情報が通知されればどのような構成であってもよい。収集したデータを元に、作業者の入室・退室を判断し、「データの問合せ」・「入退室データの送信」・「クリーンルーム内またはエアーシャワー室内等に設置されたセキュリティ機器の制御」を行う。
【００３０】
本発明では、人の動きによって得たセンサーの情報で入室・退室の方向性を決定するため、入室・退室の方向性を決めるスイッチ等がないエアーシャワー室で使用可能である。また、複数人が同時に入退室を行った場合でも、センサー感知の時間差で方向性を決める方法で発生するデータのミスマッチはない。ＩＤ認識で入室の制御をしない場合、入退室の人数のみを管理することも可能である。
【００３１】
【発明の効果】
以上の説明のように、本発明は、複数の通過者が入室・退室を同じ部屋で行っても、その通過者が入室者なのか退室者なのかが明確にできる。正確な入室・退室のＩＤ管理、人数管理ができることでクリーンルーム内のセキュリティーや人数制限、クリーンルーム等での災害時の人員確認等に活用できる。
【００３２】
また仮に、ＩＤ認識装置を入室用・退室用に設けて、通過者が誤って行動とは違うＩＤ認識装置を使用した場合でも、このアルゴリズムでは誤ったデータを自動的に無視する。センサー情報を扱うアルゴリズムにより、複数の入退室人数を正確にカウントできる効果がある。
【００３３】
【図面の簡単な説明】
【図１】本発明の実施の形態のクリーンルームの入室・退室管理装置のブロック図である。
【図２】図１に用いられる本発明の実施の形態のクリーンルームの構成図である。
【図３】本発明の実施の形態のクリーンルームの入室・退室管理装置の動作を説明するフローである。
【図４】本発明の実施の形態のクリーンルームの入室・退室管理装置の動作を説明する別のフローである。
【符号の説明】
１ａ    入室センサー
１ｂ    退室センサー
２ａ    入室側ＩＤ認識装置
２ｂ    退室側ＩＤ認識装置
３ａ    クリーンルーム側自動ドア
３ｂ    前室側自動ドア
５    エアーシャワー室
６    端末
７    作業者カード
８    非接触送信
１１，１２，１３，１４    作業者
１０１    管理サーバー
１０２    ＬＡＮ
１１１，１１２，１１３    端末
１２１，１２２，１２４    センサー
１２３，１２５    ＩＤ認識装置
Ｓ３０〜Ｓ５４，Ｓ３０１〜Ｓ３０８    ステップ
【図１】
2004150645.tif 000003
【図２】
2004150645.tif 000004
【図３】
2004150645.tif 000005
【図４】
2004150645.tif 000006